(57)【要約】【課題】ＤＶＤを再生するとき、映像データのサムネイル画像をすばやく表示する。【解決手段】ＤＶＤを再生するときに、記録された映像データから画像データを読み込み、サムネイル生成部３によりサムネイル画像データを作成する。複数のサムネイル画像データおよびＤＶＤを識別するための識別情報を保存用バッファ１０に保存する。再度ＤＶＤを再生するとき、サムネイル制御部６は、映像データのナビゲーション情報の読み込み中に、保存されている識別情報に基づいてＤＶＤを確認する。このＤＶＤのサムネイル画像データを確認できると、保存用バッファ１０からサムネイル画像データを映像出力部４に出力して、サムネイル画像を表示する。【選択図】  図１
2004228714.tif 000002
【特許請求の範囲】
【請求項１】
ランダムアクセス可能な記録媒体に記録された映像データのサムネイル画像データを保存する保存手段と、サムネイル画像データに基づくサムネイル画像を表示する表示手段と、再生する記録媒体のサムネイル画像データが保存されているか確認して、サムネイル画像を表示するように前記表示手段を制御するサムネイル制御手段とを備え、該サムネイル制御手段は、サムネイル画像データが保存されているとき、そのサムネイル画像を表示することを特徴とする映像再生装置。
【請求項２】
ランダムアクセス可能な記録媒体に記録された映像データのサムネイル画像データを取得する取得手段と、取得したサムネイル画像データを保存する保存手段と、サムネイル画像データに基づくサムネイル画像を表示する表示手段と、再生する記録媒体のサムネイル画像データが保存されているか確認して、サムネイル画像を表示するように前記表示手段を制御するサムネイル制御手段とを備え、該サムネイル制御手段は、サムネイル画像データが保存されているとき、そのサムネイル画像を表示し、保存されていないとき、前記記録媒体のサムネイル画像データを取得して保存するように前記取得手段および保存手段を制御することを特徴とする映像再生装置。
【請求項３】
サムネイル制御手段は、記録媒体に記録されているナビゲーション情報を読み込み中に、サムネイル画像データの保存の有無を確認することを特徴とする請求項１または２記載の映像再生装置。
【発明の詳細な説明】
【０００１】
【発明の属する技術分野】
本発明は、ＤＶＤ等のランダムアクセス可能な記録媒体に記録された映像を再生する映像再生装置に関する。
【０００２】
【従来の技術】
従来の映像再生装置において、テレビ番組等の映像データが記録されたランダムアクセス可能なＤＶＤを再生するが、サムネイル一覧表示の要求があるとき、記録した映像データのダイジェスト画面であるサムネイル画像が一覧表示される。サムネイル画像は、タイトル毎の先頭画面、チャプタ毎の先頭画面、任意の場面のいずれかにおける静止画像である。サムネイル一覧表示画面は、複数のサムネイル画像を並べて表示したものであり、ＤＶＤに記録されたタイトル別、チャプタ別の映像データの一部を一覧することができる。
【０００３】
これらのサムネイル画像を参照して、所望のタイトルあるいはチャプタを選択することにより、このタイトルあるいはチャプタに対応したフレームにジャンプして、映像データが再生される。
【０００４】
このサムネイル画像を表示するときの手順を説明する。再生するＤＶＤを映像再生装置に挿入する。ユーザは、メニュ画面を表示させて、タイトル選択、チャプタ選択等を行うためにサムネイル一覧表示要求の入力操作を行う。
【０００５】
ＤＶＤの特定領域のフレームに記録されているナビゲーション情報が読み込まれる。ナビゲーション情報は、ＴＯＣ情報（Ｔａｂｌｅ  ｏｆ  Ｃｏｎｔｅｎｔｓ）とも言われ、ＤＶＤに収録されている番組、音楽等の映像データのタイトル、チャプタ、記録時間、フレーム位置といった各種の情報である。このナビゲーション情報に基づいてサムネイル画像が作成される。
【０００６】
タイトル毎あるいはチャプタ毎に画像データを読み込み、演算処理してから復号し、静止画像データを作成する。この静止画像データをサムネイル画像データに変換する。サムネイル画像データは、メモリに格納されるバイナリデータである。サムネイル一覧表示要求によって、このサムネイル画像データに基づいて画面に表示したものがサムネイル画像となる。複数のサムネイル画像を画面に表示することにより、サムネイル一覧表示画面となる。このサムネイル画像を参照して、ユーザが見たい番組等のサムネイル画像を選択する。サムネイル画像はナビゲーション情報にリンク付けられているので、このサムネイル画像に対応するタイトルあるいはチャプタの映像データが読み込まれて再生が開始される。
【０００７】
なお、サムネイル一覧表示画面では、１画面に表示できるサムネイル画像数が制限されている。すべてのサムネイル画像が表示されたか確認される。続きがある場合、同様にサムネイル画像データが作成され、次画面に表示される。
【０００８】
このように、サムネイル画像の表示要求があるたびに、挿入されたＤＶＤから静止画像データを作成し、サムネイル画像を表示する。映像データの中から必要な画像データを読み込んでからサムネイル画像を表示するまでの時間が必要となるので、サムネイル画像を一覧表示するのに時間がかかる。
【０００９】
特許文献１には、サムネイル画像を迅速に表示するための技術が開示されている。これは、ディスク状の記録媒体の一端側に映像データを記録し、他端側からサムネイル画像データを記録するものである。そして、サムネイル画像の表示要求に応じて、サムネイル画像データを記録媒体から読み出して、表示する。
【００１０】
【特許文献１】
特開平１０−３４１４０２（段落００１６、００１７）
【００１１】
【発明が解決しようとする課題】
上記のように記録媒体にサムネイル画像データを記録しておけば、サムネイル画像を表示する際にサムネイル画像データを作成する時間を省ける。しかしながら、記録媒体を再生する前に、まずナビゲーション情報にしたがって画像データを読み込んでからサムネイル画像データを読み出すため、サムネイル画像を表示するまでに多少時間がかかる。また、サムネイル画像データ用に記録媒体のフレームの一部を使用するので、映像データの記録可能な容量が少なくなる。
【００１２】
本発明は、上記に鑑み、サムネイル画像をすばやく表示できる映像再生装置を提供することを目的とする。
【００１３】
【課題を解決するための手段】
本発明による課題解決手段は、ランダムアクセス可能な記録媒体に記録された映像データのサムネイル画像データを保存する保存手段と、サムネイル画像データに基づくサムネイル画像を表示する表示手段と、再生する記録媒体のサムネイル画像データが保存されているか確認して、サムネイル画像を表示するように前記表示手段を制御するサムネイル制御手段とを備えたものである。
【００１４】
すなわち、一度再生した記録媒体に対するサムネイル画像データは、その記録媒体を取り出した後も保存手段に保存され、表示手段は、サムネイル一覧表示の要求に応じて一覧表示し、サムネイル制御手段は、表示要求がなされたとき、保存されているサムネイル画像データに基づくサムネイル画像を一覧表示するように表示手段を制御する。
【００１５】
サムネイル画像データは、取得手段により記録媒体に記録された映像データから取得される。記録媒体にサムネイル画像データが記録されていない場合には、映像データを読み込んで加工し、サムネイル画像データを作成することによって取得する。記録媒体にサムネイル画像データが記録されている場合には、そのサムネイル画像データを読み込むことにより取得する。
【００１６】
そして、サムネイル制御手段は、保存手段にサムネイル画像データが保存されていると判断したとき、そのサムネイル画像を表示する。サムネイル画像データが保存されていないときには、記録媒体からサムネイル画像データを取得して保存するように取得手段および保存手段を制御する。
【００１７】
これによって、一度サムネイル画像データを保存手段に保存すれば、記録媒体からサムネイル画像データを取得しなくても、保存されたサムネイル画像データを利用してすぐに表示できる。すでに保存したサムネイル画像データを有する記録媒体を再生するとき、再度サムネイル画像データを取得しなくても、保存されているサムネイル画像データに基づくサムネイル画像を表示する。サムネイル画像データの取得に要する時間を短縮できるので、すばやくサムネイル画像を表示できる。
【００１８】
サムネイル画像データの保存の有無を確認する手段としては、保存されているサムネイル画像データと記録媒体の映像データとを比較して、一致しているか否かを判断する。あるいはサムネイル画像データを保存するときに記録媒体に対する識別情報も付加して保存しておき、この識別情報からサムネイル画像データを保存したことがある記録媒体か否かを判断する。確認を識別情報に基づいて行うと、すばやく確認することができ、より迅速な表示が可能となる。
【００１９】
ここで、識別情報は、個々の記録媒体に固有の情報とする。例えば、識別情報として、記録媒体に記録されたナビゲーション情報の一部を利用すればよく、既存の情報を活用できる。あるいは、新たに識別情報を付与してもよく、この識別情報を保存するとともに、記録媒体にも記録しておく。そして、保存された識別情報が再生する記録媒体の情報と一致するかを判断する。
【００２０】
確認するタイミングとしては、サムネイル制御手段が、記録媒体に記録されているナビゲーション情報を読み込み中に、サムネイル画像データの保存の有無を確認する。通常の動作の一環としてナビゲーション情報は読み込まれるので、このことを利用すれば、確認のための時間を割く必要がなくなり、効率的である。また、確認のタイミングは、サムネイル画像の表示の要求があったときに行ってもよい。
【００２１】
【発明の実施の形態】
本発明の一実施形態の映像再生装置を図１に示す。本映像再生装置は、ランダムアクセス可能な記録媒体であるＤＶＤを再生するものであって、光学読取部１、映像ストリーム入力部２、サムネイル生成部３、映像出力部４、映像ストリーム制御部５、サムネイル制御部６、バッファ制御部７、操作部８、表示用バッファ９、保存用バッファ１０から構成される。
【００２２】
光学読取部１は、ＤＶＤから映像データを読み取る。映像ストリーム入力部２は、ＭＰＥＧデコーダ等からなり、読み取った映像データを復号する。この映像データは、ビデオＩＣ等の映像ストリーム制御部５によって信号処理が行われ、映像出力部４からテレビ、モニタ等の表示装置に出力される。ユーザは、表示装置の画面やスピーカを通じて、ＤＶＤに記録された番組等の映像や音声を視聴できる。
【００２３】
サムネイル生成部３は、映像ストリーム入力部２から出力された映像データの一部を静止画像データに加工して、サムネイル画像データを作成する。表示用バッファ９は、ＲＡＭ等のメモリであって、表示するためのサムネイル画像データを一時的に保存する。バッファ制御部７からの命令によって、表示用バッファ９からサムネイル画像データが映像出力部４に出力される。なお、サムネイル画像データは、サムネイル画像の表示前のデータである。
【００２４】
サムネイル制御部６は、リモコン、本体の操作パネル等の操作部８から入力されたサムネイル一覧表示の要求にしたがって、サムネイル画像データを作成するようにサムネイル生成部３を制御し、サムネイル画像データを映像出力部４に出力するようにバッファ制御部７を制御し、さらに複数のサムネイル画像から構成されるサムネイル一覧表示画面を表示するように映像出力部４を制御する。このサムネイル制御部６は、ＣＰＵ、ＲＯＭ、ＲＡＭ等を有するマイコンからなり、バッファ制御部７もこのマイコンの一部を構成する。
【００２５】
保存用バッファ１０は、フラッシュメモリ、ＳＤＲＡＭ等であって、ＤＶＤのサムネイル画像データを保存する。サムネイル制御部６からの命令によって、ＤＶＤから取得したサムネイル画像データが保存され、またサムネイル画像データが表示用バッファ９に出力される。サムネイル画像データには、ＤＶＤを特定するための識別情報が付加されており、この識別情報はＤＶＤのナビゲーション情報にリンクしている。
【００２６】
個々のＤＶＤを判別するための識別情報としては、例えばトータル記録時間、タイトル、チャプタ、各タイトルやチャプタの時間情報があげられる。これらのうち１つあるいは複数を組み合わせて識別情報とし、サムネイル画像データとともに保存しておく。また、サムネイル画像データを保存するとき、任意に識別用のデータを設定し、これを保存するとともにＤＶＤ以外の他の記録媒体に記録しておいてもよい。
【００２７】
サムネイル制御部６は、保存されているサムネイル画像データの識別情報を挿入されたＤＶＤの識別情報と一致するか確認して、サムネイル画像データの保存の有無の判別を行う。このように、識別情報によって、どのＤＶＤのサムネイル画像データであるかを判別できる。したがって、保存用バッファ１０に、複数のＤＶＤのサムネイル画像データを保存できる。
【００２８】
次に、サムネイル画像データを保存するときの動作を図２に基づいて説明する。まず、映像再生装置にＤＶＤを挿入する。このＤＶＤから所定個数のサムネイル画像データを作成可能とする。さらに、本装置において未再生のＤＶＤであり、保存用バッファ１０にはこのＤＶＤに対するサムネイル画像データは保存されていない。
【００２９】
ユーザは、メニュ画面を表示して、サムネイル一覧表示を選択する。サムネイル制御部６の命令によって映像ストリーム入力部は、ＤＶＤからナビゲーション情報を読み込み、この情報に基づいてサムネイル画像データの作成に必要な画像データを読み取る。サムネイル生成部３は、ナビゲーション情報にリンクするように画像データからサムネイル画像データを作成する。作成したサムネイル画像データは表示用バッファ９に保存される。そして、バッファ制御部７は、作成したサムネイル画像データに基づくサムネイル画像を画面に一覧表示する。なお、サムネイル画像データの作成は公知の技術にしたがって行い、画像データを自動的に取得するか、あるいはユーザが映像データの中から任意の画像データを選択することによって作成する。
【００３０】
サムネイル制御部６は、サムネイル一覧表示画面に所定個数のサムネイル画像が含まれているかを確認する。所定個数が、画面に表示できるサムネイル画像の個数よりも多いと、すべてのサムネイル画像を一度に表示できないので、残りのサムネイル画像を次画面で表示することになる。
【００３１】
所定個数に達していないとき、再度画像データを取得して、同様にサムネイル画像データを作成する。作成したサムネイル画像データは表示用バッファ９に保存されるとともに、次画面に表示される。
【００３２】
所定個数のサムネイル画像データを作成すると、サムネイル制御部６は、保存用バッファ１０に空き容量があるか確認する。保存用バッファ１０に、取得したサムネイル画像データを保存できるだけの十分な空き容量がない場合、画面に容量不足を表示して、サムネイル画像データを保存せずに終了する。
【００３３】
十分な空き容量がある場合、サムネイル制御部６は、表示用バッファ９に保存されているサムネイル画像データを保存用バッファ１０に移動する。そして、サムネイル画像データとともに識別情報を付加して、挿入されたＤＶＤのサムネイル画像データとして保存する。
【００３４】
保存する際に、サムネイル画像データを保存するか確認するメッセージを表示して、保存を選択できるようにするとよい。また、個々のサムネイル画像データについても、同様に保存するのか確認するようにして、不要なサムネイル画像データは保存せず、必要なサムネイル画像データのみを保存するようにしてもよい。
【００３５】
次に、保存用バッファ１０にサムネイル画像データが保存されている場合、サムネイル画像を表示するときの動作を図３に基づいて説明する。まず、映像再生装置にＤＶＤを挿入する。サムネイル制御部６は、ＤＶＤからナビゲーション情報（ＴＯＣ情報）を読み込み中に、保存用バッファ１０に保存されているサムネイル画像データの識別情報と同じ情報が読み込んだナビゲーション情報に含まれているかを予め確認する。
【００３６】
この間に、ユーザが、表示されたメニュ画面からサムネイル一覧表示を選択する。この表示要求に応じて、サムネイル制御部６は、確認結果に基づき、挿入されたＤＶＤのサムネイル画像データが保存されていると判断すると、サムネイル画像データを保存用バッファ１０から表示用バッファ９に出力する。すると、サムネイル画像が画面に一覧表示される。すべてのサムネイル画像が表示されていない場合には、次画面に表示する。
【００３７】
確認結果により、サムネイル画像データが保存されていない場合、サムネイル制御部６は、新規なＤＶＤが挿入されたと判断して、サムネイル画像データを作成する。まず、保存用バッファ１０に空き容量があるか確認して、保存用バッファ１０に十分な空き容量がない場合、画面に容量不足を表示して、サムネイル画像データを保存せずに終了する。
【００３８】
十分な空き容量がある場合、上記と同様の手順で、ＤＶＤの映像データから画像データを取得して、サムネイル画像データを作成する。そして、サムネイル画像データとともに識別情報を付加して、挿入されたＤＶＤのサムネイル画像データとして保存用バッファ１０に保存する。また、このように作成したサムネイル画像データに基づいてサムネイル画像を表示する。
【００３９】
以上のように、過去に再生したことのあるＤＶＤが挿入されたとき、サムネイル画像データが保存されているので、ユーザの要求があれば、即座にサムネイル画像を表示することができる。
【００４０】
なお、本発明は、上記実施形態に限定されるものではなく、本発明の範囲内で上記実施形態に多くの修正および変更を加え得ることは勿論である。記録媒体は、ＤＶＤに限らず、ランダムアクセス可能であればよく、さらには挿入、取り出しできる着脱式以外にも固定式であってもよい。このような記録媒体として、例えばハードディスク、ＣＤ、ＭＤ、半導体メモリ、メモリカードを用いる。記録媒体を再生する映像再生装置は、再生専用に限らず、記録機能を有していてもよい。さらに、複数の記録媒体の記録再生が可能な複合機器としてもよい。また、保存用バッファは、半導体メモリに限らず、ハードディスクやＤＶＤ等の他の記録媒体としてもよい。さらに、複合機器であれば、ハードディスク等の他の記録媒体を使用して、サムネイル画像データを保存してもよい。
【００４１】
本実施形態の記録媒体には、サムネイル画像データは記録されていないので、記録媒体から映像データの画像データを読み込むことによりサムネイル画像データを作成しているが、サムネイル画像データが記録媒体に記録されている場合もある。このような記録媒体を再生するときには、記録媒体からサムネイル画像データを直接読み込んで、保存すればよい。これによっても、記録媒体を再生する際にナビゲーション情報を読み込む間において、サムネイル画像を表示する準備ができ、表示の要求があれば、即座に表示できる。
【００４２】
保存用バッファの空き容量が少ないとき、サムネイル画像データを保存しないようにしているが、任意のサムネイル画像データを削除できるようにしてもよい。すなわち、保存されているサムネイル画像データを一覧表示して、不要なサムネイル画像を指定すれば、サムネイル制御部は、指定されたサムネイル画像データを削除する。あるいは、新規のサムネイル画像データを保存するとき、古いサムネイル画像データから自動的に削除する。これによって、空き容量が少なくても、新規なサムネイル画像データを保存することができる。また、保存しているサムネイル画像データを変更可能としてもよい。
【００４３】
【発明の効果】
以上の説明から明らかな通り、本発明によると、サムネイル画像データを予め保存しておくことにより、再生する記録媒体からサムネイル画像データを取得しなくても、即座にサムネイル画像を表示することができる。その結果、見たい映像をすばやく再生することができ、映像再生装置としての性能アップを図れる。
【図面の簡単な説明】
【図１】本発明の一実施形態の映像再生装置の概略ブロック図
【図２】サムネイル画像データを保存するときのフローチャート
【図３】サムネイル画像を表示するときのフローチャート
【符号の説明】
３    サムネイル生成部
４    映像出力部
６    サムネイル制御部
７    バッファ制御部
９    表示用バッファ
１０    保存用バッファ
【図１】
2004228714.tif 000003
【図２】
2004228714.tif 000004
【図３】
2004228714.tif 000005